【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】  印刷機により印刷されたプロファイル作成用の各パッチの色彩値を測定し、この測定した各パッチの色彩値と各パッチに対して予め定められている各色の網点面積率から前記印刷機の色再現特性を表すプロファイルを作成する第１工程と、
前記印刷機により印刷された印刷機安定性判断用のパッチの色彩値を測定する第２工程と、
この第２工程で測定された印刷機安定性判断用のパッチの色彩値と、このパッチに対して予め定められている各色の網点面積率とほゞ同じ網点面積率を有する前記プロファイル中の色彩値とを比較する第３工程と、
この第３工程の比較結果に基づいて警告を出す第４工程と
を備えたことを特徴とする印刷機の色管理方法。
【請求項２】  印刷機により印刷されたプロファイル作成用の各パッチの色彩値を測定し、この測定した各パッチの色彩値と各パッチに対して予め定められている各色の網点面積率から前記印刷機の色再現特性を表すプロファイルを作成する第１工程と、
前記印刷機により印刷された濃度測定用の各色のパッチの濃度を測定する第２工程と、
この第２工程によって測定された各色のパッチの濃度値と各色の基準濃度値とを比較する第３工程と、
この第３工程の比較結果に基づいて前記印刷機の各色のインキ供給量を調整する第４工程と、
この第４工程によりインキ供給量が調整された印刷機により印刷された印刷機安定性判断用のパッチの色彩値を測定する第５工程と、
この第５工程で測定された印刷機安定性判断用のパッチの色彩値と、このパッチに対して予め定められている各色の網点面積率とほゞ同じ網点面積率を有する前記プロファイル中の色彩値とを比較する第６工程と、
この第６工程の比較結果に基づいて警告を出す第７工程と
を備えたことを特徴とする印刷機の色管理方法。
【請求項３】  印刷機により印刷されたプロファイル作成用の各パッチの色彩値を測定し、この測定した各パッチの色彩値と各パッチに対して予め定められている各色の網点面積率から前記印刷機の色再現特性を表すプロファイルを作成する第１工程と、
前記印刷機により印刷された濃度測定用の各色のパッチの濃度を測定する第２工程と、
この第２工程によって測定された各色のパッチの濃度値と各色の基準濃度値とを比較する第３工程と、
この第３工程の比較結果に基づいて前記印刷機の各色のインキ供給量を調整する第４工程と、
前記第３工程において各色のパッチの測定濃度値と各色の基準濃度値とがほゞ一致するという比較結果が得られるまで前記第２工程，第３工程，第４工程を繰り返す第５工程と、
この第５工程によりインキ供給量が調整された印刷機により印刷された印刷機安定性判断用のパッチの色彩値を測定する第６工程と、
この第６工程で測定された印刷機安定性判断用のパッチの色彩値と、このパッチに対して予め定められている各色の網点面積率とほゞ同じ網点面積率を有する前記プロファイル中の色彩値とを比較する第７工程と、
この第７工程の比較結果に基づいて警告を出す第８工程と
を備えたことを特徴とする印刷機の色管理方法。
【請求項４】  請求項１〜３の何れか１項において、前記警告が出された場合、前記印刷機の色再現特性を表すプロファイルを作成し直すことを特徴とする印刷機の色管理方法。
【請求項５】  印刷機により印刷されたプロファイル作成用の各パッチの色彩値を測定し、この測定した各パッチの色彩値と各パッチに対して予め定められている各色の網点面積率から前記印刷機の色再現特性を表すプロファイルを作成するプロファイル作成手段と、
前記印刷機により印刷された印刷機安定性判断用のパッチの色彩値を測定する色彩値測定手段と、
この色彩値測定手段によって測定された印刷機安定性判断用のパッチの色彩値と、このパッチに対して予め定められている各色の網点面積率とほゞ同じ網点面積率を有する前記プロファイル中の色彩値とを比較する比較手段と、
この比較手段の比較結果に基づいて警告を出す警告手段と
を備えたことを特徴とする印刷機の色管理装置。
【請求項６】  印刷機により印刷されたプロファイル作成用の各パッチの色彩値を測定し、この測定した各パッチの色彩値と各パッチに対して予め定められている各色の網点面積率から前記印刷機の色再現特性を表すプロファイルを作成するプロファイル作成手段と、
前記印刷機により印刷された濃度測定用の各色のパッチの濃度を測定する濃度測定手段と、
この濃度測定手段によって測定された各色のパッチの濃度値と各色の基準濃度値とを比較する濃度比較手段と、
この濃度比較手段の比較結果に基づいて前記印刷機の各色のインキ供給量を調整するインキ供給量調整手段と、
このインキ供給量調整手段によりインキ供給量が調整された印刷機によって印刷された印刷機安定性判断用のパッチの色彩値を測定する色彩値測定手段と、
この色彩値測定手段によって測定された印刷機安定性判断用のパッチの色彩値と、このパッチに対して予め定められている各色の網点面積率とほゞ同じ網点面積率を有する前記プロファイル中の色彩値とを比較する比較手段と、
この比較手段の比較結果に基づいて警告を出す警告手段と
を備えたことを特徴とする印刷機の色管理装置。
【請求項７】  印刷機により印刷されたプロファイル作成用の各パッチの色彩値を測定し、この測定した各パッチの色彩値と各パッチに対して予め定められている各色の網点面積率から前記印刷機の色再現特性を表すプロファイルを作成するプロファイル作成手段と、
前記印刷機により印刷された濃度測定用の各色のパッチの濃度を測定する濃度測定手段と、
この濃度測定手段によって測定された各色のパッチの濃度値と各色の基準濃度値とを比較する濃度比較手段と、
この濃度比較手段の比較結果に基づいて前記印刷機の各色のインキ供給量を調整するインキ供給量調整手段と、
前記濃度測定手段による濃度測定，前記濃度比較手段による濃度比較，前記インキ供給量調整手段によるインキ供給量の調整の繰り返しによって前記濃度比較手段において各色のパッチの測定濃度値と各色の基準濃度値とがほゞ一致するという比較結果が得られている時の前記印刷機により印刷された印刷機安定性判断用のパッチの色彩値を測定する色彩値測定手段と、
この色彩値測定手段により測定された印刷機安定性判断用のパッチの色彩値と、このパッチに対して予め定められている各色の網点面積率とほゞ同じ網点面積率を有する前記プロファイル中の色彩値とを比較する比較手段と、
この比較手段の比較結果に基づいて警告を出す警告手段と
を備えたことを特徴とする印刷機の色管理装置。
【請求項８】  請求項５〜７の何れか１項において、前記プロファイル作成手段が、前記警告が出された場合、操作者からの指示に応じて、前記印刷機の色再現特性を表すプロファイルを作成し直すことを特徴とする印刷機の色管理装置。
【請求項９】  請求項２において、前記第４工程では、前記第３工程の比較結果に基づいて各色のパッチの測定濃度値と各色の基準濃度値とがほゞ一致するように前記印刷機の各色のインキ供給量を調整することを特徴とする印刷機の色管理方法。
【請求項１０】  請求項６において、前記インキ供給量調整手段は、前記濃度比較手段の比較結果に基づいて各色のパッチの測定濃度値と各色の基準濃度値とがほゞ一致するように前記印刷機の各色のインキ供給量を調整することを特徴とする印刷機の色管理装置。
【手続補正２】
【補正対象書類名】明細書
【補正対象項目名】００１０
【補正方法】変更
【補正の内容】
【００１０】
【課題を解決するための手段】
このような目的を達成するために、本願の第１発明および第５発明（請求項１および請求項５に係る発明）は、印刷機により印刷された印刷機安定性判断用のパッチの色彩値を測定し、この測定した印刷機安定性判断用のパッチの色彩値とこのパッチに対して予め定められている各色の網点面積率とほゞ同じ網点面積率を有する印刷機のプロファイル中の色彩値とを比較し、この比較結果に基づいて警告を出すようにしたものである。
【手続補正３】
【補正対象書類名】明細書
【補正対象項目名】００１１
【補正方法】変更
【補正の内容】
【００１１】
この発明（第１発明，第５発明）によれば、印刷機安定性判断用のパッチの色彩値が測定され、この測定された印刷機安定性判断用のパッチの色彩値とこのパッチに対して予め定められている各色の網点面積率とほゞ同じ網点面積率を有する印刷機のプロファイル中の色彩値とが比較される。
通常印刷時の印刷物に印刷機安定性判断用のパッチを設けておけば、この印刷機安定性判断用のパッチの色彩値とこのパッチに対して予め定められている各色の網点面積率とほゞ同じ網点面積率を有する印刷機のプロファイル中の色彩値とを比較することにより、印刷機の安定性の変化を早期に知ることができる。
【手続補正４】
【補正対象書類名】明細書
【補正対象項目名】００１２
【補正方法】変更
【補正の内容】
【００１２】
また、本願の第２発明および第６発明（請求項２および請求項６に係る発明）は、印刷機により印刷された濃度測定用の各色のパッチの濃度を測定し、この測定した各色のパッチの濃度値と各色の基準濃度値とを比較し、この比較結果に基づいて印刷機の各色のインキ供給量を調整し、このインキ供給量が調整された印刷機により印刷された印刷機安定性判断用のパッチの色彩値を測定し、この測定された印刷機安定性判断用のパッチの色彩値とこのパッチに対して予め定められている各色の網点面積率とほゞ同じ網点面積率を有するプロファイル中の色彩値とを比較し、この比較結果に基づいて警告を出すようにしたものである。
【手続補正５】
【補正対象書類名】明細書
【補正対象項目名】００１３
【補正方法】変更
【補正の内容】
【００１３】
この発明（第２発明，第６発明）によれば、濃度測定用の各色のパッチの測定濃度値と各色の基準濃度値との比較結果により印刷機の各色のインキ供給量が調整され、このインキ供給量が調整された印刷機によって印刷された印刷機安定性判断用のパッチの色彩値が測定され、この測定された印刷機安定性判断用のパッチの色彩値とこのパッチに対して予め定められている各色の網点面積率とほゞ同じ網点面積率を有するプロファイル中の色彩値とが比較される。
【手続補正６】
【補正対象書類名】明細書
【補正対象項目名】００１４
【補正方法】変更
【補正の内容】
【００１４】
また、本願の第３発明および第７発明（請求項３および請求項７に係る発明）は、印刷機により印刷された濃度測定用の各色のパッチの濃度を測定する第２工程と、この第２工程によって測定された各色のパッチの濃度値と各色の基準濃度値とを比較する第３工程と、この第３工程の比較結果に基づいて印刷機の各色のインキ供給量を調整する第４工程とを設け、第３工程において各色のパッチの測定濃度値と各色の基準濃度値とがほゞ一致するという比較結果が得られるまで第２工程，第３工程，第４工程を繰り返し、その時の印刷機により印刷された印刷機安定性判断用のパッチの色彩値を測定し、この測定した印刷機安定性判断用のパッチの色彩値とこのパッチに対して予め定められている各色の網点面積率とほゞ同じ網点面積率を有するプロファイル中の色彩値とを比較し、この比較結果に基づいて警告を出すようにしたものである。
【手続補正７】
【補正対象書類名】明細書
【補正対象項目名】００１５
【補正方法】変更
【補正の内容】
【００１５】
この発明（第３発明，第７発明）によれば、第３工程において各色のパッチの測定濃度値と各色の基準濃度値とがほゞ一致するという比較結果が得られるまで第２工程，第３工程，第４工程が繰り返され、第３工程において各色のパッチの測定濃度値と各色の基準濃度値とがほゞ一致するという比較結果が得られると、その時の印刷機により印刷された印刷機安定性判断用のパッチの色彩値が測定され、すなわち印刷機安定性判断用のパッチの色彩値が各色のインキ膜厚をほゞ一定とした状態で測定され、この測定された印刷機安定性判断用のパッチの色彩値とこのパッチに対して予め定められている各色の網点面積率とほゞ同じ網点面積率を有するプロファイル中の色彩値とが比較される。
【手続補正８】
【補正対象書類名】明細書
【補正対象項目名】００１６
【補正方法】変更
【補正の内容】
【００１６】
また、本願の第４発明および第８発明（請求項４および請求項８に係る発明）は、第１〜第３発明および第５〜第７発明において、警告が出された場合、印刷機の色再現特性を表すプロファイルを作成し直すようにしたものである。
この発明（第４発明，第８発明）によれば、印刷機安定性判断用のパッチの色彩値が測定され、この測定された印刷機安定性判断用のパッチの色彩値とこのパッチに対して予め定められている各色の網点面積率とほゞ同じ網点面積率を有する印刷機のプロファイル中の色彩値とが比較され、この比較結果に基づいて警告が出されると、印刷機のプロファイルの再作成の必要性が確認でき、印刷機のプロファイルが作成され直される。これにより、インキ供給量をマニュアルで調整することなく、カラーマッチングの精度が維持される。
【手続補正９】
【補正対象書類名】明細書
【補正対象項目名】００２５
【補正方法】変更
【補正の内容】
【００２５】
本実施の形態では、図２に示したプロファイル作成用カラーチャート３−１の中から代表的なパッチを抜粋し、印刷機安定性判断用パッチ４ｂとして領域ＳＢ１〜ＳＢｎ内に組み込んでいる。なお、通常印刷時用のカラーバー４−１の濃度測定用パッチ４ａと印刷機安定性判断用パッチ４ｂとは、図２のように独立して別々に設けるようにしてもよい。
【手続補正１０】
【補正対象書類名】明細書
【補正対象項目名】００７４
【補正方法】変更
【補正の内容】
【００７４】
【発明の効果】
以上説明したことから明らかなように本発明によれば、印刷機安定性判断用のパッチの色彩値を測定し、この測定した印刷機安定性判断用のパッチの色彩値とこのパッチに対して予め定められている各色の網点面積率とほゞ同じ網点面積率を有する印刷機のプロファイル中の色彩値とを比較し、この比較結果に基づいて警告を出すことにより、印刷機の安定性の変化を早期に知ることができるようになる。
また、濃度測定用の各色のパッチの濃度を測定し、この測定した各色のパッチの濃度値と各色の基準濃度値とが一致するように印刷機の各色のインキ供給量を調整することにより、印刷機安定性判断用のパッチの色彩値を各色のインキ膜厚をほゞ一定とした状態で測定することが可能となり、印刷機の安定性の変化を高精度で判断できるようになる。
また、警告が出された場合、印刷機のプロファイルを作成し直すことにより、インキ供給量をマニュアルで調整することなく、カラーマッチングの精度を維持することが可能となる。